(57)【要約】【課題】簡易構造型でありながら耐震性に富みシンプル軽量化を図ることができる防災シェルター（ベッドガードフレーム）を提供すること。【解決手段】支柱部と横架部とで一体の門型フレームとされた主枠の一対を寝具の幅方向に対向して配備し、これら主枠の基部は、四辺枠状をした底盤のコーナー上に脱着自在に取付けられ、左右の主枠間は少なくとも複数本の天井渡しフレームにより脱着自在に連結されている。【選択図】図６
2009293363.tif 000002
【特許請求の範囲】
【請求項１】
支柱部と横架部とで一体の門型フレームとされた主枠の一対を寝具の幅方向に対向して配備し、これら主枠の基部は、四辺枠状をした底盤のコーナー上に脱着自在に取付けられ、左右の主枠間は少なくとも複数本の天井渡しフレームにより脱着自在に連結されている防災シェルター。
【発明の詳細な説明】
【技術分野】
【０００１】  この発明は、ベッドなどの寝具を取り囲むように設置されて地震時の家屋倒壊からの防護をする防災シェルターに関する。
【背景技術】
【０００２】  地震により家屋が倒壊すると圧死する人が多く、その対策が望まれている。
【発明の開示】
【発明が解決しようとする課題】
【０００３】  その対策品として防災シェルター（ベッドガードフレーム）があるが、いずれも構造が複雑で重く高くつくものである。
この発明は、上記に鑑みなされたもので、簡易構造型でありながら耐震性に富みシンプル軽量化を図ることができるシェルター（ベッドガードフレーム）を提供することにある。
【課題を解決するための手段】
【０００４】  上記課題を解決するため、請求項１記載の発明は、支柱部と横架部とで一体の門型フレームとされた主枠の一対を寝具の幅方向に対向して配備し、これら主枠の基部は、四辺枠状をした底盤のコーナー上に脱着自在に取付けられ、左右の主枠間は少なくとも複数本の天井渡しフレームにより脱着自在に連結されている。
【発明の効果】
【０００５】  この発明によれば、支柱部と横架部とで一体の門型フレームとされた主枠の一対を寝具の幅方向に対向して配備し、これら主枠の基部は、四辺枠状をした底盤のコーナー上に脱着自在に取付けられ、左右の主枠間は少なくとも複数本の天井渡しフレームにより脱着自在に連結されている防災シェルターであるので、簡易構造型でありながら耐震性に富みシンプル軽量化を図ることができる防災シェルター（ベッドガードフレーム）を提供することができる。
【発明を実施するための最良の形態】
【０００６】  以下、この発明の一実施形態を図面にしたがって説明するが、ここで説明する各実施形態に含まれる個々の提案例は他の実施形態にも適用されるものとする。また、各構成部材の材質は鉄材を基本として説明するが、アルミ合金・チタン合金などの他の金属材や木材さらに樹脂など現存するすべてのものを利用し得るものとする。【０００７】  図１ないし図９は避難用シェルターについての技術でより具体的な耐震型ベッドシェルター（ベッドを装備しない和風寝具である敷布団等対応型もある）に関する。その目的とするところは、簡易構造型でありながら耐震性に富みシンプル軽量化を図ることができる防災シェルター（ベッドガードフレーム）を提供することにある。【０００８】  これらの図において、３００は薄板状の四辺枠とされたスチール製の底盤で、同底盤３００は、広い面積で畳などのフロアー上に載ることで上からの衝撃負荷があっても集中荷重を発生することなく分散させて床抜けの有効防止を図ることができるとともにシェルター枠の自立と広がり変形阻止を図るためのものである。この底盤３００は、図６に分解して示すように、長い側の縦辺材３０１と短い側の横辺材３０２とをそれぞれ一対ずつ備えてなり、それぞれの端部は４５度にカットされたもので互いに寄せ合わさるものとされ、端部には上側との連結のためのボルト通孔３０３…を配備してなる。この底盤３００は樹脂や木材など他の材料を使用してもよい。
縦辺材３０１は図７に、横辺材３０２は図８に示し、これらの端部構造は図９に拡大断面図を示すように、縦辺材３０１、横辺材３０２は、薄肉状で扁平な矩形筒状をなすもので、その両端部は面取りａとされて前記ボルト通孔３０３が設けられている。
この各材３０１，３０２の端部内には、薄肉厚で一側を同じく面取りａとした挿着片３３０が上方に位置するようにして挿入溶接されている。同挿着片３３０には、ボルト通孔３０３に対応する位置にボルト３３１を通すためのネジ孔３３２が形成されている。各材３０１，３０２の底面には、ナット３３３を通すためのナット通孔３３４が形成されている。底板３１１はこれらの端部に対応してきて上からボルト（六角穴付きボタンボルト）３３１が通されてネジ孔３３２にねじ込まれるとともにナット３３３を締めて縦辺材３０１・横辺材３０２の端部と底板３１１とが締め付けられる。これらの締め付け作業は設置される現場でなされるもので、各材３０１，３０２は個別に重ね積みされてコンパクトに輸送され得るものである。【０００９】  ３０５は主枠で、スチールの丸（あるいは角）パイプを曲げて門型に形成したもので、一対の支柱部３０６とその上端間を曲げ部３０７を介してつなぐ横架部３０８とで構成されている。この場合の門型フレームは、その左右を別体として横架部３０８においてジョイントで結合する構造にすることができる。
同主枠３０５の各下端には、図６に平面形状を示すように、正方形でその１コーナーを面取り３０９とした薄板で前記下側通孔３０３に対応する上側通孔３１０を配備した座板３１１が溶接固着されている。面取り３０９は内側にくるベッド３１２との干渉を避けるために設けられている。
この主枠３０５は、底盤３００上に座板３１１がくるようにして座板３１１と底盤３００とを図示しないボルト・ナットでなる止着具で脱着自在に連結することにより左右一対平行に対向するようにして立設される。【００１０】  同主枠３０５の下部一側には下受片３１４が設けられ、その対向するものの間には木質（金属や樹脂でもよい）の下ガード３１５が上下複数段にわたって止め付けられている。
主枠３０５の曲げ部３０７の内側には上肩受片３１６が曲げ板状にして固着され、それらの対向間には上肩ガード３１７が木質（金属や樹脂でもよい）のものとして止め付けられている。
さらに、同主枠３０５の横架部３０８の内側には天受片３１８が前後に間隔をおいて複数突設されている。これらの天受片３１８の対向するものの間には天井渡しフレーム３１９…が脱着可能に取り付けられている。前記下ガード３１５・上肩ガード３１７は、下受片３１４・上肩受片３１６の内外いずれに配置してもよく、特に、上肩ガード３１７については内外二重に配備すると耐震強度が向上し、その場合、外側は緩衝質にすると有効である。【００１１】  尚、図６に仮想線で示すように、支柱部３０６の一側には、一対あるいは単一本の逆Ｌ形手摺り３２１を張り出し状に備えてもよい。この手摺り３２１は立ち上がり動作の補助をする他にシェルター全体の転倒を有効に阻止する機能をもつ。また、前つっかい棒３２２および奥つっかい棒３２３を備えてもよい。
また、主枠３０５および天井渡しフレーム３１９…・上肩ガード３１７のなす天井上面には覆いを付すことがあり、この場合、緩衝機能をもたせることができる。
さらに、底盤３００あるいは支柱部３０６は床下地盤に固定することもできる。
【図面の簡単な説明】
【００１２】
【図１】耐震ベッドシェルターの実施形態を示す平面図。
【図２】図１の正面図。
【図３】図２の底面図。
【図４】図２の右側面図。
【図５】図１のＧ−Ｇ線断面図。
【図６】耐震ベッドシェルターの斜視図。
【図７】縦辺材の詳細を示す平面図。
【図８】横辺材の詳細を示す平面図。
【図９】図７、図８のＨ−Ｈ線拡大断面図。
【符号の説明】
【００１３】  ３００…底盤  ３０５…主枠  ３０６…支柱部  ３０８…横架部  ３１９…天井渡しフレーム。
【図１】
2009293363.tif 000003
【図２】
2009293363.tif 000004
【図３】
2009293363.tif 000005
【図４】
2009293363.tif 000006
【図５】
2009293363.tif 000007
【図６】
2009293363.tif 000008
【図７】
2009293363.tif 000009
【図８】
2009293363.tif 000010
【図９】
2009293363.tif 000011